(57)【要約】      （修正有）【課題】必要に応じて、表層を底層の頂面上から剥がして再び結合できると同時に、表層と底層の表面の完全性を確保できる面ファスナー付き床被覆物の構造を提供する。【解決手段】表層と底層を含み、この表層は第一面ファスナー層と生地層を含み、この生地層は第一面ファスナー層上に設けられ、底層は第二面ファスナー層を含み、この第二面ファスナー層はお互いに咬合して相互に結合する。また、各床被覆物はずらして接合することでお互いに組み付けることができる。本表層と底層は面ファスナー層によって相互咬合し、一時的にしっかり結合する。【選択図】図７
0003167931.tif 000002
【実用新案登録請求の範囲】
【請求項１】
第一面ファスナー層と第一生地層を含み、前記第一生地層は前記面ファスナー層上に設けられた表層と、
第二面ファスナー層を含み、前記第一、第二面ファスナー層はお互いに咬合するとともに相互に結合する底層と、
を含むことを特徴とする面ファスナー付き床被覆物の構造。
【請求項２】
前記表層は、
前記第一面ファスナー層上に設けられた底材層と、
中底材層であり、前記底材層上に設けられ、且つ前記第一生地層を前記中底材層上に設ける中底材層と、
前記第一生地層上に設けられた透明材層と、
を更に含むことを特徴とする、請求項１に記載の面ファスナー付き床被覆物の構造。
【請求項３】
前記中底材層は、
底材層と、
前記底材層上に設けられた中底材層と、
前記中底層上に設けられた第二生地層と、
透明材層であり、前記第二生地層上に設けられるとともに、前記第二面ファスナー層をその上に設け、且つ前記第二面ファスナー層は前記透明材層と前記表層の間に位置する透明材層と、
を更に含むことを特徴とする、請求項１に記載の面ファスナー付き床被覆物の構造。
【請求項４】
前記表層は周縁の一部に沿って第一ずらし部を備え、前記表層の残りの部分は第一重なり部となり、前記底層はその周縁の一部に沿って第二ずらし部を備え、前記底層の残りの部分は第二重なり部となり、且つ前記第一、第二重なり部は相互に重なり、前記第一ずらし部は前記底層の周縁の外側に延出して露出し、前記第二ずらし部は前記表層の周縁の外側に延出して露出することを特徴とする、請求項１に記載の面ファスナー付き床被覆物の構造。
【請求項５】
前記第一ずらし部の形状はＬ字型であることを特徴とする、請求項４に記載の面ファスナー付き床被覆物の構造。
【請求項６】
前記第二ずらし部の形状はＬ字型であることを特徴とする、請求項４に記載の面ファスナー付き床被覆物の構造。
【請求項７】
前記表層は２つの第一長辺と第一短辺を備え、前記底層は２つの第二長辺と第二短辺を供え、且つ第一、第二長辺は相互に平行であり、前記第一、第二短辺は相互に平行であることを特徴とする、請求項１に記載の面ファスナー付き床被覆物の構造。
【請求項８】
前記第一長辺から第二長辺の最短距離は１０〜５０ミリメートルであることを特徴とする、請求項７に記載の面ファスナー付き床被覆物の構造。
【請求項９】
前記第一短辺から第二短辺の最短距離は１０〜５０ミリメートルであることを特徴とする、請求項７に記載の面ファスナー付き床被覆物の構造。
【請求項１０】
前記第一、第二長辺は９１４.４ミリメートルであることを特徴とする、請求項７に記載の面ファスナー付き床被覆物の構造。
【請求項１１】
前記第一、第二短辺は１５２.４ミリメートルであることを特徴とする、請求項７に記載の面ファスナー付き床被覆物の構造。
【請求項１２】
前記第一生地層の表面には更にデザインパターンを有することを特徴とする、請求項１に記載の面ファスナー付き床被覆物の構造。
【請求項１３】
前記表層の形状は長方形であることを特徴とする、請求項１に記載の面ファスナー付き床被覆物の構造。
【請求項１４】
前記底層の形状は長方形であることを特徴とする、請求項１に記載の面ファスナー付き床被覆物の構造。
【請求項１５】
前記表層の頂面は対磨耗性兼抗菌性表面であることを特徴とする、請求項１に記載の面ファスナー付き床被覆物の構造。
【請求項１６】
前記底層の底面は滑り止め加工を施した表面であることを特徴とする、請求項１に記載の面ファスナー付き床被覆物の構造。
【請求項１７】
前記表層、前記底層の組成材質は、プラスチック（ＰＶＣ）、フタル酸ジイソノニル（ＤＩＮＰ）、安定剤、松やに、石粉、或いは水酸化アルミニウム難燃剤であることを特徴とする、請求項１に記載の面ファスナー付き床被覆物の構造。
【請求項１８】
前記第一面ファスナー層の底面には複数のフックを備え、且つ前記第二面ファスナー層の頂面は起毛布面であり、且つ前記フックは前記起毛布面とお互いに咬合するとともに相互結合することを特徴とする、請求項１に記載の面ファスナー付き床被覆物の構造。
【請求項１９】
前記第一面ファスナー層の底面は起毛布面であり、且つ前記第二面ファスナー層の頂面には複数のフックを備え、前記フックは前記起毛布面とお互いに咬合するとともに相互結合することを特徴とする、請求項１に記載の面ファスナー付き床被覆物の構造。
【考案の詳細な説明】
【技術分野】
【０００１】
本考案は床被覆物の構造に関するものであって、特に面ファスナー付きの床被覆物の構造に関するものである。
【背景技術】
【０００２】
人々の生活水準が日々高くなるにつれて、より多くの人が住居環境の質を重視するようになってきている。住居の質と室内環境の美化程度を高める以外に、家の中の子供の活動スペースをより良くするために、多くの人は家の中の床の上に、セラミックタイル、ウッドフローリング、プラスチックタイル、或いはカーペット等、１層の床材を敷設し、使用者が歩く時や動く時に終始安全で快適な生理状態や心理状態でいられよう、足触りが心地よく、心身ともにリラックスできるようにしている。
【０００３】
上述の各種床材の構造は、コンクリート床面上に設置する場合、且つ左右に動かないようにする場合、各タイルをそれぞれ粘着材で床に接着して、固定効果を達成する必要がある。しかし、各ブロックを１つ１つ粘着材で床面上に設置する時、もし不注意でタイルとタイルをお互いきっちり接合しなかったために、隙間ができてしまったら、貼り付けたタイルを剥がして、もう一度貼り直さなくてはいけない。これによって、タイルの底面は容易に破損し、タイルを剥がすときに、タイルが丸ごと割れてしまうことがある。つまり、この種の施工方式は容易ではないのである。
【考案の概要】
【考案が解決しようとする課題】
【０００４】
これらの点を考慮し、上述した公知技術の欠点に対して、問題を克服すべく、本考案は面ファスナー付き床被覆物の構造を提案する。本考案の主な目的は、表層と底層が面ファスナー層によって相互に咬合し、一時的にしっかりと結合し、この種のタイルを組み合わせる時、必要に応じて、表層を底層の頂面上から剥がして、再度結合することができると同時に、表層及び底層の表面の完全性を確保できる面ファスナー付き床被覆物の構造を提供することである。
【課題を解決するための手段】
【０００５】
上述の目的を達成するため、本考案は、表層と底層を含み、この表層は第一面ファスナー層と生地層を含み、この生地層は第一面ファスナー層上に設けられ、底層は第二面ファスナー層を含み、且つこの２つの面ファスナー層はフックと起毛によって互いに咬合するとともに相互結合する面ファスナー付き床被覆物の構造を提供する。
【考案の効果】
【０００６】
本考案の面ファスナー付き床被覆物の構造は、表層と底層が面ファスナー層によって相互に咬合し、一時的にしっかりと結合することができる。この種のタイルは組み合わせる時、必要に応じて、表層を底層の頂面上から剥がして、再度粘着することができると同時に、表層及び底層の表面の完全性を確保することが可能である。
【図面の簡単な説明】
【０００７】
【図１】本考案の第一実施例の構造立体図。
【図２】本考案の構造断面図。
【図３】本考案の第一実施例の構造平面図。
【図４】本考案の面ファスナー層の起毛布面とフックを示す図。
【図５】本考案のフック構造立体図。
【図６】本考案の面ファスナー層の起毛布面とフックがお互い咬合することを示す図。
【図７】本考案のタイルが構成する床材構造立体図。
【図８】本考案の第二実施例の構造立体図。
【考案を実施するための形態】
【０００８】
本考案の構造特徴と達成される効果の更なる理解と認識のため、好ましい実施例を挙げて以下に詳細を説明する。
【実施例】
【０００９】
本考案の開示する面ファスナー付き床被覆物は、タイル、セラミックタイル、カーペット、組み合わせ式床材等各種床被覆物の分野で応用でき、ある１種類の領域に留まらない。以下にタイル構造を例にして本考案の構造について述べる。
【００１０】
図１で、まず本考案のタイル構造の第一実施例を説明する。この種のタイル１０は主に、底層１２と表層１４の２層構造を含む。この２層１２と１４はどちらも長方形を呈しており、その表面面積は同じである。且つ表層１４の底面は底層１２の頂面に貼合される。表層１４は底層１２の上方に設けられている。底層１２はその部分的周縁に沿ってＬ字型の第一ずらし部１６を備え、底層１２の残りの部分は長方形の第一重なり部１８となる。また表層１４はその部分的周縁に沿ってＬ字型の第二ずらし部２０を備え、表層１４の残りの部分は長方形の第二重なり部２２となる。底層１２と表層１４の長辺と短辺はそれぞれ相互に平行であり、且つ底層１２と表層１４の相対位置は互いに垂直方向及び水平方向にずれており、これによって、底層１２の第一ずらし部１６は表層１４の周縁外側に延出して露出している。表層１４の第二ずらし部２０は底層１２の周縁外側に延出して露出しており、且つ第一重なり部１８と第二重なり部２２は相互に重なる。
【００１１】
底層１２と表層１４はそれぞれ複数層の構造を含んでおり、さらにどちらも面ファスナー層を含む。図２を参照して説明する。図示すように、底層１２は第一底材層２４を含む。この層２４は底層１２の最も下方に位置する。第一底材層２４の底面は滑り止め加工を施した表面である。つまり、底層１２はこの滑り止め加工表面を下にして直接床面上に敷くことができ、容易に滑らない。この方法は先に床面を平坦に整えてからタイルを床面上に敷設する従来技術とは異なる。これ以外にも、底層１２を床面上から剥がしたい時、すぐ剥がすことができ、床面或いは底層１２自体を傷つけることがなく、また敷設時に、その場所では不適切なので他の場所に移して敷設したいと思った時、容易に手で前記底層１２を他の場所へ移して敷設することができる。従来の一般的なタイルは床面上から剥がす時、耐えられず破損することがあるが、本考案の底層１２は床面から剥がす時、それ自体の完全な特性を保つことができるので、使用者が本考案の底層１２を剥がした後、もし再度使用したいと思ったら、この完全無欠の底層１２を繰り返し利用することができ、新たに底層を買う必要が無く、使用者の面倒や経済的負担を増やさなくてすむ。第一底材層２４の頂面には、下から上の順に、完全に重なった第一中底材層２６、第一生地層２８、第一透明材層３０、第一面ファスナー層３２を設ける。この底層１２の組成材質はプラスチック（ＰＶＣ）、フタル酸ジイソノニル（ＤＩＮＰ）、安定剤、松やに、或いは石粉、を含み、更に水酸化アルミニウム難燃剤を含むため、防火耐燃性も有する。この第一底材層２４、第一中底材層２６、第一生地層２８、第一透明材層３０、第一面ファスナー層３２によってこの底層１２を組成する。
【００１２】
表層１４は第二面ファスナー層３４を含む。この層３４は表層１４の最も下方に位置し、且つその底面は第一面ファスナー層３２の頂面に結合する。第二面ファスナー層３４の頂面は、下から上の順で、完全に重なった第二底材層３６、第二中底材層３８、第二生地層４０、第二透明材層４２を設ける。中でも第二透明材層４２の頂面は抗菌兼耐磨耗処理を施した表面である。この第二面ファスナー層３４、第二底材層３６、第二中底材層３８、第二生地層４０、第二透明材層４２によってこの表層１４を組成する。この表層１４の組成材質に関しては、上述の底層１２と同じであり、且つ表層１４が有する防火耐燃性の特性は底層１２と同じである。
【００１３】
以下に本実施例のタイル構造の最も好ましいサイズ設計を説明する。タイル構造全体の柔軟性を確保するために、タイルは床表面の輪郭に沿って敷設でき、底層１２と表層１４が含む各構造は全て決まった厚みを有し、第一底材層２４は０.９９ミリメートルであり、第一中底材層２６は０.８ミリメートルであり、第一生地層２８は０.０７ミリメートルであり、第一透明材層３０は０.３ミリメートルであり、第一面ファスナー層３２は０.４８ミリメートルであり、第二面ファスナー層３４は０.４８ミリメートルであり、第二底材層３６は０.９９ミリメートルであり、第二中底材層３８は２.８ミリメートルであり、第二生地層４０は０.０７ミリメートルであり、第二透明材層４２は０.３ミリメートルである。
【００１４】
次に図１と図３を同時に参照されたい。図３は図１の平面図である。表層１４と底層１２は相互にずれた位置関係であるため、表層１４の長辺から底層１２の長辺の最短距離はａとなり、１０〜５０ミリメートルである。また表層１４の短辺から底層１２の短辺の最短距離はａとなり、表層１４の長辺から底層１２の長辺の最短距離と同じである。更に、表層１４の短辺と長辺はそれぞれｂとｃとなり、それぞれ１５２.４ミリメートルと９１４.４ミリメートルである。
【００１５】
上述の面ファスナー層の頂面が起毛布面である時、第二面ファスナー層の底面は複数のフックを備え、この２つの面ファスナー層は起毛布面とフックを互いに利用して互いに咬合し、底層１２と表層１４を上下合わせて、一時的にしっかりと結合する。第一面ファスナー層の頂面は複数のフックを備え、第二面ファスナー層の底面が起毛布面の時、上述の方式を利用して底層１２と表層１４を上下合わせて、一時的にしっかりと結合する。また、上述の起毛布面とフックはそれぞれマジッククロス（登録商標）或いはプラスチック製フックで代替できる。
【００１６】
図４を参照する。この図は面ファスナー層上の起毛布面４６と複数のフック４８を示す図であり、フックの高さは０.４ミリメートルであり、且つその密度は３１５個／平方センチである。本考案のフック４８の形状は特殊設計であり、図５を参照すると、フック４８は垂直部５０と水平部５２によって構成されており、垂直部５０と水平部５２は垂直連結しており、Ｔ字形状を呈している。このため、水平部５２の有する構造の一部は垂直部５０の外側に露出している。図６が示すように、フック４８はこの露出した構造の一部と起毛布面４６を利用して相互に咬合し、この種のタイルを組み合わせる時、必要に応じて、タイル組み合わせ時に、表層１４の位置が正しく或いはまっすぐ貼り付けられなかった場合、表層１４を底層１２の頂面上から剥がして再度結合し直すことができると同時に、表層１４及び底層１２の表面の完全性を確保できる。このほかに、面ファスナー層の相互結合を利用すれば、接着剤による貼合のステップを踏まずに済むだけでなく、専門技術者が施工の補助をする必要ないので、タイル施工上のコスト増加を回避できる。
【００１７】
図７に示すように、本考案のタイル構造が床材である時、組み合わせ方法は以下の記述をもって例とする。第一表層１４’と第一底層１２’を組み合わせて第一タイル１０’とし、第二表層１４”と第二底層１２”を組み合わせて第二タイル１０”とする。第一タイル１０’と第二タイル１０”を結合したい場合は、第一表層１４’の第一ずらし部５４の底面を第二底層１２”の第二ずらし部５６の頂面に結合するだけでよい。各タイルは水平方向でも垂直方向でも利用でき、隣りあわせで、平滑に、緊密且つしっかりと互いに結合することができる。このように本考案のタイル組成の床材構造を利用すれば、無闇にずれることがなく、かなり優れた安定性を有する。
【００１８】
最後に図８を参照する。この図は本考案のタイル構造の第二実施例であり、図１の第一実施例と異なるのは、表層１４がデザインパターン５８を有している点であり、その他の構造は第一実施例と同じである。前述したように、表層１４は第二面ファスナー層、第二底材層、第二中底材層、第二生地層、第二透明材層によって構成されている。図８のデザインパターン５８は表層１４の第二生地層の頂面にデザインされており、第二生地層の頂面はこのデザインパターン５８を有する。第二生地層上方は第二透明材層であるから、タイル敷設完成後、上方からこのデザインパターン５８が見え、このタイルに美観を持たらすことになる。また、デザインパターン５８の模様を変えたい場合は、表層１４を底層１２上からそのまま剥がして、他の図柄を有する表層に交換するだけでよい。
【００１９】
上述の記載は本考案の好ましい実施例を開示したに過ぎず、本考案の実施範囲を限定するものではない。従って、本考案の精神と領域を脱しない範囲内で加えた形状、構造、特徴など各種の変更や潤色は全て、本考案の実用新案登録請求の範囲内に含まれる。
【符号の説明】
【００２０】
１０  タイル
１０’第一タイル            １０”第二タイル
１２  底層  
１２’第一底層              １２”第二底層
１４  表層
１４’  第一表層            １４”第二表層  
１６  第一ずらし部
１８  第一重なり部
２０  第二ずらし部
２２  第二重なり部            
２４  第一底材層
２６  第一中底材層
２８  第一生地層
３０  第一透明材層    
３２  第一面ファスナー層
３４  第二面ファスナー層
３６  第二底材層
３８  第二中底材層
４０  第二生地層
４２  第二透明材層
４６  起毛布面
４８  フック
５０  垂直部
５２  水平部
５４  第一ずらし部
５６  第二ずらし部
５８  デザインパターン
【図１】
0003167931.tif 000003
【図２】
0003167931.tif 000004
【図３】
0003167931.tif 000005
【図４】
0003167931.tif 000006
【図５】
0003167931.tif 000007
【図６】
0003167931.tif 000008
【図７】
0003167931.tif 000009
【図８】
0003167931.tif 000010